(57)【要約】【課題】配管配線類を容易且つ適切に配置して固定できるようにする。【解決手段】ハーネス３２を固定するためのブラケット２０において、取付面１１ａに接続される取付脚部２１及び側板部２２と、取付脚部２１及び側板部２２に接続される平板部２３と、平板部２３の一方の面に立設された立設部２５と、立設部２５に接続され、平板部２３と間隔を空けて対向する略矩形の配置用平面部２６とを有し、配置用平面部２６は、対向する一対の辺に、ハーネス３２を固定するバンド部材の位置を固定するための対向する一対の凹部の組を複数有し、ハーネス３２同士を連結するカプラ３３を固定するための固定用孔２８が形成されるように構成する。【選択図】図３
2017067243.tif 000002
【特許請求の範囲】
【請求項１】
配管配線類を固定するためのブラケットであって、
所定の取付面に接続される取付部と、
前記取付部に接続される平板部と、
前記平板部の一方の面に立設された立設部と、
前記立設部に接続され、前記平板部と間隔を空けて対向する略矩形の配置用平面部とを有し、
前記配置用平面部は、対向する一対の辺に、前記配管配線類を固定するバンド部材の位置を規制するための対向する一対の凹部の組を複数有し、前記配管配線類同士を連結する連結部材を固定するための固定用孔が形成されている
ブラケット。
【請求項２】
前記配置用平面部は、前記凹部が形成されていない一方の辺のみが前記立設部に接続されている
請求項１に記載のブラケット。
【請求項３】
前記固定用孔は、第１の一対の凹部の組と、第２の一対の凹部の組との中間の位置に形成されている
請求項１又は請求項２に記載のブラケット。
【請求項４】
前記平板部の前記立設部が形成されていない側の面には、他の配管配線類が配置される
請求項１から請求項３の何れか一項に記載のブラケット。
【発明の詳細な説明】
【技術分野】
【０００１】
本発明は、金属製配管、ナイロンチューブ等の配管や、電線、ハーネス等の配線（以下、配管配線類という）を所定の部位に固定するためのブラケットに関する。
【背景技術】
【０００２】
従来、バス等の車両においては、種々の配管配線類が配設されている。例えば、バスにおいては、ブレーキ装置や、エアサスペンションシステムに空気を供給するためにナイロンチューブが配設され、また、パワーステアリングや、クラッチ等に作動油を供給するために金属製配管が配設され、潤滑が必要な部位にグリースを供給するために、グリース用チューブが配設され、電子機器に電力や電気信号を送信するために、ハーネスが配設されている。
【０００３】
車両において、配管配線類を適切な位置に容易に固定することが要請されており、特許文献１には、長尺状の配索部材を適正な位置に固定できる技術が開示されている。
【先行技術文献】
【特許文献】
【０００４】
【特許文献１】特開２００９−２７０６８６号公報
【発明の概要】
【発明が解決しようとする課題】
【０００５】
例えば、配管配線類を取り付ける部位においては、周囲に十分なスペースが確保されておらず、作業が複雑化して困難となり、作業効率が悪くなる虞がある。
【０００６】
本発明は、配管配線類を容易且つ適切に配置して固定することのできる技術を提供することを目的とする。
【課題を解決するための手段】
【０００７】
上述の目的を達成するため、本発明の一観点に係るブラケットは、配管配線類を固定するためのブラケットであって、所定の取付面に接続される取付部と、取付部に接続される平板部と、平板部の一方の面に立設された立設部と、立設部に接続され、平板部と間隔を開けて対向する略矩形の配置用平面部とを有し、配置用平面部は、対向する一対の辺に、配管配線類を固定するバンド部材の位置を固定するための対向する一対の凹部の組を複数有し、配管配線類同士を連結する連結部材を固定するための固定用孔が形成されている。
【０００８】
上記ブラケットにおいて、配置用平面部は、凹部が形成されていない一つの辺のみが立設部に接続されていてもよい。
【０００９】
また、上記ブラケットにおいて、固定用孔は、第１の一対の凹部の組と、第２の一対の凹部の組との中間の位置に形成されていてもよい。
【００１０】
また、上記ブラケットにおいて、平板部の立設部が形成されていない側の面には、他の配管配線類が配置されていてもよい。
【発明の効果】
【００１１】
本発明によれば、配管配線類を容易かつ適切に配置して固定することができる。
【図面の簡単な説明】
【００１２】
【図１】本発明の一実施形態に係るブラケットを有する配管配線類固定装置を示す模式的な全体構成図である。
【図２】本発明の一実施形態に係る配管配線類固定装置を下方向から見た図である。
【図３】本発明の一実施形態に係るブラケットの一部拡大図である。
【発明を実施するための形態】
【００１３】
以下、添付図面に基づいて、本発明の一実施形態に係るブラケットを説明する。同一の部品には同一の符号を付してあり、それらの名称および機能も同じである。したがって、それらについての詳細な説明は繰返さない。
【００１４】
図１は、本発明の一実施形態に係るブラケットを有する配管配線類固定装置を示す模式的な全体構成図である。図２は、本発明の一実施形態に係る配管配線類固定装置を下方向から見た図である。図３は、本発明の一実施形態に係るブラケットの一部拡大図である。
【００１５】
配管配線類固定装置１０は、例えば、バス等の車両のメインフレーム１１に配置される。配管配線類固定装置１０は、ブラケット２０と、第１配管配線類の一例であるエア用チューブ３１と、第２配管配線類の一例であるハーネス３２と、第３配管配線類の一例としてのグリース用チューブ３４及びエア用チューブ３５とを有する。
【００１６】
エア用チューブ３１は、例えば、ナイロンチューブであり、ブレーキ装置や、エアサスペンションシステムにエアを供給するためのチューブである。ハーネス３２は、各種機器に電力や電気信号を送信するための電線の束である。グリース用チューブ３４は、潤滑が必要な部位にグリースを供給するためのチューブである。エア用チューブ３５は、例えば、ナイロンチューブであり、ブレーキ装置や、エアサスペンションシステムにエアを供給するためのチューブである。
【００１７】
ブラケット２０は、取付面１１ａと間隔を隔てて配置される略矩形の平板部２３と、平板部２３の図面下方向（第１方向）に延びる対向する辺のそれぞれに接続され、取付面側に延びる一対の側板部２２と、側板部２２に接続され、取付面１１ａに、例えばボルト３０により固定される取付脚部２１と、側板部２２の第１方向側の端部に接続され、平板部２３の第１方向側の端部よりも第１方向側に延びて形成された延長部２４と、平板部２３の取付面１１ａと反対側の面に立設された立設部２５と、立設部２５に接続され、平板部２３と間隔を空けて対向する略矩形の配置用平面部２６とを有する。
【００１８】
取付面１１ａと平板部２３との間隔は、その空間に挟持されるエア用チューブ３１を収容可能な幅となっている。例えば、取付面１１ａと平板部２３との間隔は、エア用チューブ３１の直径と略同じ、又はエア用チューブ３１の直径よりもやや狭くしてもよい。
【００１９】
延長部２４においては、第１方向に伸びる一対の辺に、結束バンド（バンド部材）２９の位置を固定するための一対の凹部２４ａが形成されている。
【００２０】
配置用平面部２６は、図３に示すように、対向する一対の辺の対向する位置に、結束バンドの位置を固定可能にする一対の凹部の組を複数（本実施形態では、凹部２７ａ，２７ｂの組、凹部２７ｃ，２７ｄの組）有する。配置用平面部２６には、図中横方向における各凹部の組を結ぶ線の中間部分には、ハーネス３２同士を連結するためのカプラ３３に設けられたカプラ固定用のクリップ３３ａが挿入可能な固定用孔２８が形成されている。本実施形態では、配置用平面部２６は、凹部の形成されていない一方の辺にのみ立設部２５が形成されている。
【００２１】
配置用平面部２６によると、カプラ３３により連結するハーネス３２については、カプラ３３のクリップ３３ａを配置用平面部２６に固定することにより、ハーネス３２を配置用平面部２６に固定することができる。また、カプラ３３のないハーネスについても一対の凹部の組の位置で結束バンドにより結束することで、ハーネス３２を配置用平面部２６に固定することができる。なお、カプラ３３によりハーネス３２を配置用平面部２６に固定する場合でも、複数の凹部の組の位置で結束バンドによりカプラ３３の両側でハーネス３２を結束することにより、カプラ３３からのハーネス３２の脱落を適切に防止することができる。
【００２２】
また、配置用平面部２６と平板部２３との間には、空間が確保されているので、その空間において、カプラ３３のクリップ３３ａを他の部材と干渉しないように配置することができ、また、結束バンドを他の部材と干渉しないように配置することができる。
【００２３】
また、配置用平面部２６は、凹部２７ａ，２７ｂ，２７ｃ，２７ｄが形成されていない一方の辺にのみ立設部２５が接続されている。したがって、配置用平面部２６と平板部２３との間の空間が他方の辺側で開放されているので、例えば、結束バンドを結束させる際に、結束バンドを予め環状にして結束する準備をした状態で配置用平面部２６を通すことができる。これにより、配置用平面部２６と平面部２３との間の空間に結束バンドを通した後に、その位置で結束バンドを環状とする作業をする必要がないので、作業効率が向上する。
【００２４】
次に、配管配線類固定装置１０での複数の配管配線類の固定について説明する。
【００２５】
配管配線類固定装置１０では、エア用チューブ３１は、図１の上下方向に配された状態で、取付面１１ａと平板部２３とに挟持される。
【００２６】
また、配管配線類固定装置１０では、ハーネス３２は、図１の左右方向（第２方向）に配された状態で、配置用平面部２６に固定される。具体的には、ハーネス３２を連結するカプラ３３のクリップ３３ａが配置用平面部２６の固定用孔２８に挿入されて固定されることにより、ハーネス３２が配置用平面部２６に固定される。なお、複数の凹部の組の位置で結束バンドによりハーネス３２を結束することでハーネス３２を固定するようにしてもよい。
【００２７】
また、配管配線類固定装置１０では、グリース用チューブ３４及びエア用チューブ３５は、図１の上下方向に配された状態で、延長部２４に結束バンド２９により結束されて固定される。延長部２４は、平板部２３の下端よりもさらに下側に位置しているので、延長部２４にグリース用チューブ３４及びエア用チューブ３５を結束バンド２９により固定する場合に、平板部２３に左右方向に配されたハーネス３２が邪魔とならずに、容易に固定作業を行うことができる。
【００２８】
なお、本発明は、上述の実施形態に限定されるものではなく、本発明の趣旨を逸脱しない範囲で、適宜変形して実施することが可能である。
【００２９】
例えば、上記実施形態においては、配置用平面部２６にハーネス３２を固定する例を示していたが、本発明はこれに限られず、金属配管、ナイロンチューブ等の他の配管配線類を取り付けるようにしてもよく、また、複数（複数種類）の配管配線類を取り付けるようにしてもよい。
【符号の説明】
【００３０】
１０  配管配線類固定装置
１１  メインフレーム
１１ａ  取付面
２０  ブラケット
２１  取付脚部
２２  側板部
２３  平板部
２４  延長部
２５  立設部
２６  取付用平面部
２７ａ，２７ｂ，２７ｃ，２７ｄ  凹部
２８  固定用孔
２９  結束バンド
３０  ボルト
３１  エア用チューブ
３２  ハーネス
３３  カプラ
３３ａ  クリップ
３４  グリース用チューブ
３５  エア用チューブ
【図１】
2017067243.tif 000003
【図２】
2017067243.tif 000004
【図３】
2017067243.tif 000005